(57)【要約】【課題】  本発明は、墓石、墓碑又は卒塔婆等を囲んで装飾するための墓の外柵構造の改良に関する発明である。【解決手段】  本発明は、前外柵部、後外柵部、左外柵部、右外柵部からなる墓の外柵構造において、前外柵部を臍穴を設けた袖石、臍を設けた上階段、臍及び臍穴を設けた階段の中階段、臍を設けた下階段とし、後外柵部を臍穴を設けた左右支柱と挿通孔及び臍を設けた渡石とからなる塔婆立て、臍を設けた左右羽目石、臍及び臍穴を設けた均石、臍穴を設けた腰石とし、左外柵部を臍を設けた羽目石、臍及び臍穴を設けた均石、臍及び臍穴を設けた腰石、臍及び臍穴を設けた左柱とし、右外柵部を臍を設けた羽目石、臍及び臍穴を設けた均石、臍及び臍穴を設けた腰石、臍及び臍穴を設けた右柱としたことを特徴とする墓の外柵構造とした。【選択図】  図２４
2005344427.tif 000002
【特許請求の範囲】
【請求項１】
背面には左外柵部及び右外柵部の腰石、均石、羽目石に突設する臍を嵌合する複数の臍穴が形成されているとともに上階段に突設する臍を嵌合する臍穴が形成され、側面には下階段に突設する臍及び中階段に突設する臍が嵌合する臍穴が形成され、下面には基礎となる地面に固定するための嵌入部材を嵌入させる嵌入溝が形成されている四角柱の左右袖石、中階段に形成されている臍穴に嵌合する臍及び左右袖石に形成されている臍穴に嵌合する臍を設けた上階段、左右袖石に形成されている臍穴に嵌合させる臍及び上階段に突設する臍を嵌合する臍穴を設けた中階段及び左右袖石に形成されている臍穴に嵌合する臍及び中階段に形成されている臍穴に嵌合する臍を突設する下階段からなる前外柵部と、
左羽目石に突設する臍を嵌合させる臍穴を形成し、下面に均石と接合するための嵌入部材を嵌入する嵌入溝を形成した左支柱及び右羽目石に突設する臍を嵌合させる臍穴を形成し、下面に均石と接合するための嵌入部材を嵌入する嵌入溝を形成した右支柱に挿通孔を設けた渡石を固定した塔婆立、左外柵部の左支柱に形成されている臍穴に嵌合する臍を突設し、下面に均石に接合するための嵌入部材を嵌入する嵌入溝を形成した左羽目石、右外柵部の右支柱に形成されている臍穴に嵌合する臍を突設し、下面に均石に接合するための嵌入部材を嵌入する嵌入溝を形成した右羽目石、左右外柵部の均石に形成されている臍穴に嵌合する臍を突設し、下面には腰石と接合するための嵌入部材を嵌入する嵌入溝を形成した均石及び前記均石に形成された嵌入溝と嵌合するための嵌入部材を嵌入する臍穴、左右外柵部の腰石と嵌合するための嵌入部材を嵌入する嵌入溝及び地面に固定するための嵌入部材を嵌入する嵌入溝が形成されている腰石からなる後外柵部と、前外柵部の左袖石に形成されている臍穴に嵌合する臍及び左柱に形成されている臍穴に嵌合する臍を突設し、下面には均石と接合するための嵌入部材を嵌入する嵌入溝を形成した羽目石、前外柵部の左袖石に形成されている臍穴に嵌合する臍及び左柱に突設する臍を嵌合する臍穴を設け、下面には腰石と接合するための嵌入部材を嵌入する嵌入溝を形成した均石、前外柵部の左袖石に形成されている臍穴に嵌合する臍、後外柵部の腰石と接合するための嵌入部材を嵌入する嵌入溝及び地面に固定するための嵌入部材を嵌入する嵌入溝が形成されている腰石、均石に形成されている臍穴に嵌合する臍及び羽目石に突設する臍を嵌合する臍穴を突設する左柱からなる左外柵部と、前外柵部の右袖石に形成されている臍穴に嵌合する臍及び右柱に形成されている臍穴に嵌合する臍を突設し、下面には均石と接合するための嵌入部材を嵌入する嵌入溝を形成した羽目石、前外柵部の右袖石に形成されている臍穴に嵌合する臍及び右柱に突設する臍を嵌合する臍穴を設け、下面には腰石と接合するための嵌入部材を嵌入する嵌入溝を形成した均石、前外柵部の右袖石に形成されている臍穴に嵌合する臍、後外柵部の腰石と接合するための嵌入部材を嵌入する嵌入溝及び地面に固定するための嵌入部材を嵌入する嵌入溝が形成されている腰石、均石に形成されている臍穴に嵌合する臍及び羽目石に突設する臍を嵌合する臍穴を突設する右柱からなる右外柵部とを前外柵部、後外柵部及び左右外柵部の各臍を各臍穴とを嵌合し、嵌入溝と臍穴に嵌入部材を嵌入することで接合したことを特徴とする墓の外柵構造。
【発明の詳細な説明】
【技術分野】
【０００１】
本発明は、墓石、墓碑又は卒塔婆等を囲んで装飾するための墓の外柵構造の改良に関する発明である。
【背景技術】
【０００２】
従来、墓石、墓碑又は卒塔婆等を取り囲む墓用の外柵を構築するには、コンクリート等で基礎を打った後、墓用外柵を構成する腰石、根石、均石、柱、羽目石、笠石、袖石等を下から形成するものから順次積み重ねて構築するか、耐震性を持たせるために接着剤で前記腰石、根石、均石、柱、羽目石、笠石、袖石等をそれぞれ接合する構造である。
【発明の開示】
【発明が解決しようとする課題】
【０００３】
しかしながら、重量物である腰石、根石、均石、柱、羽目石、笠石、袖石等の石材から構成される墓用の外柵という大きな構造物を形成するのに、それらをただ積み重ねるだけであるか、接着剤で接着するのみである場合には、小さな地震が発生しただけでも崩壊してしまい極めて危険である。
【０００４】
また、どんなに接着剤の技術が進歩しても、接着力の接着剤により接着されただけでは地震の震動により揺れた場合には、すぐに剥離し崩壊してしまうとの危険が生じた。
【０００５】
更に、河原等の平坦な土地に構築する場合はまだ安全であるだろうが、狭い日本においては急な斜面の猫の額ほどの土地に、これら墓用外柵を数する数多くの墓所が存在し、車を運転したりしているときに、何時突然それらの墓所の石材が崩壊し落下してくるかもしれないとの危険性があった。
【０００６】
そして、運、縁起、ジンクス等の作用を信じている人はこの世に多くいるが、それらの精神活動による期待や信用が購買力などに直結しているので、地震等により、友人、親戚、先祖代々の永眠所であるお墓が崩壊したとすれば縁起が悪いとされる。
【０００７】
そこで、本発明は、各石材を積み重ねただけの外柵の構造、各石材を接着剤で接合しただけの外柵の構造ではなく、接着剤を用いることなく、容易に組み立てられるとともに激震にも耐えられ、永久的に構築されていて、崩壊することがない墓用の外柵構造を提供することを目的とするものである。
【課題を解決するための手段】
【０００８】
本願発明は、上記の課題を解決するために、背面には左外柵部及び右外柵部の腰石、均石、羽目石に突設する臍を嵌合する複数の臍穴が形成されているとともに上階段に突設する臍を嵌合する臍穴が形成され、側面には下階段に突設する臍及び中階段に突設する臍が嵌合する臍穴が形成され、下面には基礎となる地面に固定するための嵌入部材を嵌入させる嵌入溝が形成されている四角柱の左右袖石、中階段に形成されている臍穴に嵌合する臍及び左右袖石に形成されている臍穴に嵌合する臍を設けた上階段、左右袖石に形成されている臍穴に嵌合させる臍及び上階段に突設する臍を嵌合する臍穴を設けた中階段及び左右袖石に形成されている臍穴に嵌合する臍及び中階段に形成されている臍穴に嵌合する臍を突設する下階段からなる前外柵部と、左羽目石に突設する臍を嵌合させる臍穴を形成し、下面に均石と接合するための嵌入部材を嵌入する嵌入溝を形成した左支柱及び右羽目石に突設する臍を嵌合させる臍穴を形成し、下面に均石と接合するための嵌入部材を嵌入する嵌入溝を形成した右支柱に挿通孔を設けた渡石を固定した塔婆立、左外柵部の左支柱に形成されている臍穴に嵌合する臍を突設し、下面に均石に接合するための嵌入部材を嵌入する嵌入溝を形成した左羽目石、右外柵部の右支柱に形成されている臍穴に嵌合する臍を突設し、下面に均石に接合するための嵌入部材を嵌入する嵌入溝を形成した右羽目石、左右外柵部の均石に形成されている臍穴に嵌合する臍を突設し、下面には腰石と接合するための嵌入部材を嵌入する嵌入溝を形成した均石及び前記均石に形成された嵌入溝と嵌合するための嵌入部材を嵌入する臍穴、左右外柵部の腰石と嵌合するための嵌入部材を嵌入する嵌入溝及び地面に固定するための嵌入部材を嵌入する嵌入溝が形成されている腰石からなる後外柵部と、前外柵部の左袖石に形成されている臍穴に嵌合する臍及び左柱に形成されている臍穴に嵌合する臍を突設し、下面には均石と接合するための嵌入部材を嵌入する嵌入溝を形成した羽目石、前外柵部の左袖石に形成されている臍穴に嵌合する臍及び左柱に突設する臍を嵌合する臍穴を設け、下面には腰石と接合するための嵌入部材を嵌入する嵌入溝を形成した均石、前外柵部の左袖石に形成されている臍穴に嵌合する臍、後外柵部の腰石と接合するための嵌入部材を嵌入する嵌入溝及び地面に固定するための嵌入部材を嵌入する嵌入溝が形成されている腰石、均石に形成されている臍穴に嵌合する臍及び羽目石に突設する臍を嵌合する臍穴を突設する左柱からなる左外柵部と、前外柵部の右袖石に形成されている臍穴に嵌合する臍及び右柱に形成されている臍穴に嵌合する臍を突設し、下面には均石と接合するための嵌入部材を嵌入する嵌入溝を形成した羽目石、前外柵部の右袖石に形成されている臍穴に嵌合する臍及び右柱に突設する臍を嵌合する臍穴を設け、下面には腰石と接合するための嵌入部材を嵌入する嵌入溝を形成した均石、前外柵部の右袖石に形成されている臍穴に嵌合する臍、後外柵部の腰石と接合するための嵌入部材を嵌入する嵌入溝及び地面に固定するための嵌入部材を嵌入する嵌入溝が形成されている腰石、均石に形成されている臍穴に嵌合する臍及び羽目石に突設する臍を嵌合する臍穴を突設する右柱からなる右外柵部とを前外柵部、後外柵部及び左右外柵部の各臍を各臍穴とを嵌合し、嵌入溝と臍穴に嵌入部材を嵌入することで接合したことを特徴とする墓の外柵構造の構成とした。
【発明の効果】
【０００９】
本発明は、以下の効果が得られる。第１に、接着剤だけに頼らず、外柵を構成する部材一つ一つに臍及び臍穴を設けると共に構造的に簡単に取り外しができないように接合することで、大きな地震や地盤の地滑りなどに耐えることができる堅牢な墓の外柵構造となる。
【００１０】
第２に、接着剤を用いることがないので組立が迅速かつ簡易にすることができるので、作業効率が極めてよく経済的である。
【００１１】
第３に、構築された後、長期間崩壊することがないので永年使用することができ、遺族も安心して墓を建てることができる。
【実施例１】
【００１２】
以下に、本願発明について添付図面に基づいて詳細に説明する。図１は本発明である墓の外柵構造を利用して墓所をなした墓全体の斜視図である。図１に示した墓１全体は通常一般に見られる仏教式墓一式であり、墓石２、墓碑３、塔婆２ａを、本発明である墓用の外柵４のそれぞれ所定の位置に設けている。
【００１３】
図２は、本発明である墓の外柵構造を組み上げ、内部に埋土を敷き詰めた状態の斜視図である。即ち、図１中の墓石２、墓碑３、塔婆２ａ等を除去した状態を示している。本訴と柵４では、階段１１の上階段１４の高さ及び均石１６、２０、２４の高さまで埋土３１を入れてある。
【００１４】
図３は、本発明である墓の外柵構造の斜視図である。本発明である墓の外柵４の構造は、前外柵部５、左外柵部６、右外柵部７及び後外柵部８からなる。本墓の外柵４を設置する地面は、コンクリートを打って基礎とした地面又は砂利を敷きローラにより表面を均した地面である。
【００１５】
図４は本発明である墓の外柵構造の右外柵部及び後外柵部の斜視図、図５は本発明である墓の外柵構造の左外柵部及び前外柵部の斜視図、図６は本発明である墓の外柵構造の前外柵部、左外柵部、右外柵部、後外柵部それぞれを分離した状態の斜視図である。
【００１６】
図４、図５及び図６は、図３で示した外柵４を前外柵部５、左外柵部６、右外柵部７、後外柵部８と順に分離したときの一つ一つの部材を示している。以下に、前外柵部５、左外柵部６、右外柵部７、後外柵部８を構成する部材を詳細に説明する。
【００１７】
図７から図１３までは前外柵部を表した図である。図７は本発明である墓の外柵構造の前外柵部の斜視図、図８は前外柵部の背面斜視図、図９は前外柵部の階段の上階段を取り外した状態の背面斜視図、図１０は前外柵部の階段の上階段及び左右袖石を取り外した状態を示す背面斜視図、図１１は本発明である墓の外柵構造の前外柵部の階段の上階段及び左右袖石を取り外した状態を示す正面斜視図である。
【００１８】
図７に示すように、前記前外柵部５は、左袖石９、階段１１及び右袖石１０から構成される。また、前記階段１１は下階段１２、中階段１３及び上階段１４から構成される。先ず、図８に示すように、前記左右袖石９、１０は四角柱の形状をしており、その背面には左外柵部６及び右外柵部７を接合するための臍穴９ａ、９ｂ、９ｃ、１０ａ、１０ｂ、１０ｃが形成されている。
【００１９】
図９、図１０及び図１１に示すように、前記左右袖石９、１０の背面には階段１１の上階段１４を接合するための臍穴９ｄ、１０ｄが設けられていると共に、階段１１の下階段１２、中階段１３を接合するための臍穴９ｅ、９ｆ、１０ｅ、１０ｆが側面に形成されている。
【００２０】
前記階段１１の下階段１２、中階段１３を左右袖石９、１０に取り付け、それらの背面より階段１１の上階段１４を接合する。このように接合することにより振動で左右袖石９、１０が左右に離れようとするときには、階段１１の上階段１４が支持して離れるのを防止する作用がある。
【００２１】
また、図２に示したように、実際に使用するときには階段１１の上階段１４は背面より埋土３１に押圧されるので、左右袖石９、１０及び階段１１の下階段１２、中階段１３から上階段１４が外れることはない。
【００２２】
図１２は本発明である墓の外柵構造の前外柵部の階段の下階段、中階段及び上階段を取り外した状態を示す正面斜視図、図１３は前外柵部の階段の下階段、中階段及び上階段を取り外し分離した状態を示した背面斜視図である。
【００２３】
前記階段１１の下階段１２の側面には、図１２及び図１３に示すように、左右袖石に接合するための臍１２ｃ、１２ｄが突設されているとともに、背面にも中階段１３に接合するための臍１２ａ、１２ｂが突設されている。
【００２４】
前記階段１１の中階段１３には、側面に左右袖石に接合するための臍１３ｃ、１３ｄが突設されている。また、背面には上階段１４に接合するための臍１４ａ、１４ｂが突設されているとともに、正面に下階段１２を接合するための臍穴１３ｅ、１３ｆが形成されている。
【００２５】
階段１１の下階段１２と中階段１３は、下階段１２の臍１２ａ、１２ｂを中階段１３の臍穴１３ｅ、１３ｆに差し込み、下階段１２と中階段１３を接合して使用する。
【００２６】
図１４から図１８は後外柵部を表した図である。図１４は本発明である墓の外柵構造の後外柵部の正面斜視図、図１５は後外柵部の背面斜視図である。前記後外柵部８は、図１５及び図１６に示すように、腰石２３、均石２４、左右羽目石２５、２６及び塔婆立２７から構成される。また、前記塔婆立２７は、左右支柱２８、２９及び渡石３０から構成される。
【００２７】
図１６は本発明である墓の外柵構造の後外柵部の腰石、均石、左右羽目石及び塔婆立をそれぞれ分離した状態を示す背面斜視図、図１７は後外柵部の腰石、均石、左右羽目石及び塔婆立をそれぞれ分離した状態を示す正面斜視図、図１８は後外柵部の腰石、均石、左右羽目石及び塔婆立をそれぞれ分離した状態を示し、下方から見上げた背面斜視図である。
【００２８】
図１７に示すように、前記腰石２３には、正面に左右外柵部の腰石を接合するための臍穴２３ａ、２３ｂが形成されている。また、図１６に示すように、前記腰石２３の上面には均石２４を接合するための臍穴２３ｃ、２３ｄが形成されている。
【００２９】
図１６及び図１７に示すように、前記均石２４は、側面には左右外柵部の均石を接合するための臍２４ｂ、２４ｃが形成され、上面には塔婆を立てるための凹溝２４ａ、２４ａと、左右羽目石２５、２６を接合するための臍穴２４ｄ、２４ｅ、２４ｆ、２４ｇと、塔婆立２７の左右支柱２８、２９を接合するための臍穴２４ｈ、２４ｉが形成され、下面には、図１８に示すように、腰石２３と接合するための臍２４ｊ、２４ｋが突設されている。
【００３０】
前記左右羽目石２５、２６の側面には、図１７及び図１８に示すように、左右外柵部の柱と接合するための臍２５ａ、２６ａ及び塔婆立２７の左右支柱２８、２９に接合するための臍２５ｂ、２６ｂが形成されていると共に、下面には均石２４に接合するための臍２５ｃ、２５ｄ、２６ｃ、２６ｄが突設する。
【００３１】
塔婆立２７の左右支柱２８、２９の側面には、図１６及び図１７に示すように、左右羽目石２５、２６を接合するための臍穴２８ａ、２９ａが形成され、下面には、図１８に示すように、均石２４を接合するための臍２８ｂ、２９ｂが突設されている。
【００３２】
また、左右支柱２８、２９上部には、図１６に示すように、塔婆を立てるための挿通孔３０ａ、３０ａを設けた渡石３０が取り付けられていると共に、左右支柱２８、２９の上面には臍を突設し、渡石３０下面に形成されている臍穴に前記臍を嵌入させて接合している。
【００３３】
実際に使用するときは、腰石２３の上部に均石２４を、均石２４に形成されている臍２４ｊ、２４ｋを腰石２３に形成されている臍穴２３ｃ、２３ｄに嵌合させて接合する。
【００３４】
そして、前記均石２４の上に左右羽目石２５、２６及び塔婆立２７を臍２５ｃ、２５ｄ、２８ｂ、２９ｂ、２６ｃ、２６ｄ及び臍穴２４ｄ、２４ｅ、２４ｈ、２４ｉ、２４ｆ、２４ｇを嵌合させて載せてそれぞれ接合する。
【００３５】
図１９から図２３までは左右外柵部を示した図である。左外柵部６と右外柵部７は、同一の構成、同一の機能、同一の形状なので右外柵部７についてのみ説明する。
【００３６】
図１９は本発明である墓の外柵構造の右外柵部の右前方から見た斜視図、図２０は右外柵部の左後方から見た斜視図、図２１は右外柵部の腰石、均石、羽目石及び右柱をそれぞれ分離した状態を示す右前方から見た斜視図である。
【００３７】
前記右外柵部７は、腰石１９、均石２０、羽目石２１及び右柱２２から構成されている。本右外柵部７は、正面を前外柵部５の右袖石１０と接合し、背面を後外柵部８と接合する。
【００３８】
図２２は本発明である墓の外柵構造の右外柵部の腰石、均石、羽目石及び右柱をそれぞれ分離した状態を示す左後方から見た斜視図、図２３は右外柵部の腰石、均石、羽目石及び右柱をそれぞれ分離した状態を示す左後下方から見上げた斜視図である。
【００３９】
前記腰石１９には、図２１に示すように、前外柵部５の右袖石１０に接合するための臍１９ａが正面には突設する。前記腰石１９背面には、図２１に示すように、後外柵部８の腰石２３に接合するための臍１９ｂが突設する。腰石１９の上面には、図２１に示すように、均石２０を接合するための臍穴１９ｃ、１９ｄが形成されている。
【００４０】
前記均石２０には、図２１に示すように、前外柵部５の右袖石１０に接合するための臍２０ａが正面に突設する。均石２０の後部には、後外柵部８の均石２４に接合するための臍穴２０ｂが側面に形成されているとともに、上面には右柱２２を接合するための臍穴２０ｅが形成されている。均石２０の下面には、図２３に示すように、腰石１９に接合するための臍２０ｃ、２０ｄが突設する。
【００４１】
右外柵部７の羽目石２１には、図１９に示すように、前外柵部５の右袖石１０に接合するための臍２１ａが正面に突設する。羽目石２１の背面には、図２２に示すように、右柱２２に接合するための臍２１ｂが突設されている。
【００４２】
また、前記右柱２２には、四角柱形状で上面に滴上の装飾物が設けてあると共に、下面には均石２０に接合するための臍２２ｃが突設され、左側面には後外柵部を接合するための臍穴２２ｂが、正面には羽目石２１を接合するための臍穴２２ａが形成されている。
【００４３】
図２１及び図２３に示すように、腰石１９の上部に均石２０を接合するには、臍２０ｃ、２０ｄを臍穴１９ｃ、１９ｄに嵌合させて接合すると共に、その上に右柱２２を、臍２２ｃと臍穴２０ｅとを嵌合して接合する。
【００４４】
そして、羽目石２１は、羽目石２１に突設する臍２１ｂを右柱２２に形成されている臍穴２２ａに嵌合するとと共に、右柱２２及び図８に示した右袖石９の臍穴９ａにそれぞれ嵌合して取り付ける。
【００４５】
ところで、図６、図１４、図２０に示すように、後外柵部８と左右外柵部６、７の腰石と均石は、それぞれの臍及び臍穴の嵌合する方向が交差していると共に、それぞれの腰石及び均石も接合しているので、外柵４の内部に入れられた埋土３１より押圧されても外柵４の角から土が漏れたり、後外柵部８と左右外柵部６、７同士が外れたりすることがない。
【実施例２】
【００４６】
図２４は本発明である墓の外柵構造の第２実施例の前外柵部、左外柵部、右外柵部、後外柵部それぞれを分離した状態の斜視図である。
【００４７】
図２４に示すように、本発明である墓の外柵構造の第２実施例は、前外柵部５、左外柵部６、右外柵部７、後外柵部８を構成する腰石、均石、羽目石等の各石材を上下に積み重ねる部分には臍の代わりに嵌入溝を設け、嵌入部材３２、３３、３４、３５を嵌入させて上下の石材を固定するものである。
【００４８】
また、第１実施例では図３に示すように、本発明である墓の外柵４の構造は、コンクリートを打って基礎となる地面又は砂利を敷きローラにより表面を均した地面に本発明である墓の外柵４の各部を組み上げたものであるが、本第２実施例ではより耐震性を強化するため、前外柵部５の左右袖石９、１０の底面及び左外柵部６、右外柵部７、後外柵部８の腰石１５、１９、２３の底面に嵌入溝を設け、嵌入部材３２、３３、３４、３５を嵌入させて基礎となる地面と固定した。
【００４９】
図２５は、本発明である墓の外柵構造の第２実施例の後外柵部の腰石、均石、左右羽目石及び塔婆立をそれぞれ分離した状態を示す正面斜視図である。
【００５０】
図２５に示すように、本発明である墓の外柵構造の第２実施例の後外柵部８は、腰石２３、均石２４、左右羽目石２５、２６及び塔婆立２７から構成される。また、前記塔婆立２７は、左右支柱２８、２９及び渡石３０から構成される。
【００５１】
前記腰石２３には、正面に左右外柵部の腰石を接合するために嵌入部材を嵌入する嵌入溝２３ｇ、２３ｈが形成されている。また、図２５に示すように、前記腰石２３の上面には均石２４を接合するための臍穴２３ｃ、２３ｄが形成され、下面には基礎となる地盤に固定するための嵌入部材３５、３５を差し込む嵌入溝２３ｅ、２３ｆが形成されている。
【００５２】
基礎となる地面に形成した嵌入溝と腰石２３の下面に形成された嵌入溝２３ｅ、２３ｆに嵌入部材３５、３５を差し込むことで、腰石２３が基礎にしっかりと固定される。
【００５３】
図２５に示すように、前記均石２４は、側面には左右外柵部の均石を接合するための臍２４ｂ、２４ｃが形成され、上面には塔婆を立てるための凹溝２４ａ、２４ａと、左右羽目石２５、２６を接合するための臍穴２４ｄ、２４ｅ、２４ｆ、２４ｇと、塔婆立２７の左右支柱２８、２９を接合するための臍穴２４ｈ、２４ｉが形成され、下面には腰石２３と接合するための嵌入部材３５ａ、３５ａを差し込む嵌入溝２４ｌ、２４ｍが形成されている。
【００５４】
前記均石２４の下面に形成された嵌入溝２４ｌと前記腰石２３の上面に形成された臍穴２３ｄに嵌入部材３５ａを嵌入させ、同様に前記均石２４の下面に形成された嵌入溝２４ｍと前記腰石２３の上面に形成された臍穴２３ｃに嵌入部材３５ａを嵌入させることで、腰石２３と均石２４とが接合される。
【００５５】
前記左右羽目石２５、２６の側面には、左右外柵部の柱と接合するための臍２５ａ、２６ａ及び塔婆立２７の左右支柱２８、２９に接合するための臍２５ｂ、２６ｂが形成されていると共に、下面には均石２４に接合するための嵌入部材３５ｂ、３５ｂ、３５ｂ、３５ｂを嵌入させる嵌入溝２５ｅ、２５ｆ、２６ｅ、２６ｆが形成されている。
【００５６】
前記均石２４の上面に形成された臍穴２４ｄ、２４ｅと前記左羽目石２５の下面に形成された嵌入溝２５ｆ、２５ｅに嵌入部材３５ｂを嵌入させることで左羽目石２５が均石２４に接合される。また、前記均石２４の上面に形成された臍穴２４ｆ、２４ｇと右羽目石２６の下面に形成された嵌入溝２６ｆ、２６ｅに嵌入部材３５ｂを嵌入させることで右羽目石２６が均石２４に接合される。
【００５７】
塔婆立２７の左右支柱２８、２９の側面には左右羽目石２５、２６を接合するための臍穴２８ａ、２９ａが形成され、下面には、均石２４を接合するために嵌入部材３５ｃ、３５ｃを嵌入させる嵌入溝２８ｃ、２９ｃが形成されている。
【００５８】
前記塔婆立２７の左右支柱２８、２９の下面に形成された嵌入溝２８ｃ、２９ｃと、前記均石２４の上面に形成された臍穴２４ｈ、２４ｉに嵌入部材３５ｃ、３５ｃを嵌入させることで、塔婆立２７が均石２４に接合される。
【００５９】
図２６は、本発明である墓の外柵構造の第２実施例の右外柵部の腰石、均石、羽目石及び右柱をそれぞれ分離した状態の後方斜視図である。右外柵部７は、腰石１９、均石２０、羽目石２１及び右柱２２から構成されている。本右外柵部７は、正面を前外柵部５の右袖石１０と接合し、背面を後外柵部８と接合する。
【００６０】
前記腰石１９には、前外柵部５の右袖石１０に接合するための臍１０ａが正面に突設し、後外柵部８の腰石２３に接合するために嵌入部材３４ｃを嵌入する嵌入溝１９ｇが背面に形成されている。腰石１０の上面には、均石２０を接合するための臍穴１９ｃ、１９ｄが形成され、下面には基礎となる地面に固定するために嵌入部材３４を嵌入する嵌入溝１９ｅ、１９ｆが形成されている。
【００６１】
前記腰石１９の下面に形成された嵌入溝１９ｅ、１９ｆと基礎となる地面に形成された嵌入溝に嵌入部材３４、３４を嵌入することで、腰石１９が地面にしっかりと固定される。
【００６２】
前記均石２０には、前外柵部５の右袖石１０に接合するための臍２０ａが正面に突設し、後外柵部８の均石２４に接合するための臍穴２０ｂが後部の側面に形成されていると共に、上面には右柱２２を接合するための臍穴２０ｅが形成され、さらに羽目石２１を接合するための嵌入部材３４ｂを嵌入する嵌入溝２０ｆ、２０ｇが形成されている。下面には、腰石１９に接合するために嵌入部材３４ａ、３４ａを嵌入する嵌入溝２０ｈ、２０ｉが形成されている。
【００６３】
前記均石２０の下面に形成された嵌入溝２０ｈと前記腰石１９の上面に形成された臍穴１９ｃ、前記均石２０の下面に形成された嵌入溝２０ｉと前記腰石１９の上面に形成された臍穴１９ｄにそれぞれ嵌入部材３４ａ、３４ａを嵌入させることで、均石２０が腰石１９に接合される。
【００６４】
右外柵部７の羽目石２１には、前外柵部５の右袖石１０に接合するための臍２１ａが正面に突設し、右柱２２に接合するための臍２１ｂが背面に突設されている。前記羽目石２１の下面には、羽目石２１を均石２０に接合するための嵌入部材３４ｂ、３４ｂを嵌入する嵌入溝２１ｃ、２１ｄが形成されている。
【００６５】
前記羽目石２１の下面に形成された嵌入溝２１ｃ、２１ｄと前記均石２０の上面に形成された嵌入溝２０ｆ、２０ｇに嵌入部材３４ａ、３４ａを嵌入させることで、均石２０に羽目石２１が接合される。
【００６６】
前記右柱２２には、四角柱形状で上面に滴上の装飾物が設けてあると共に、下面には均石２０に接合するための臍２２ｃが突設され、右側面には後外柵部を接合するための臍穴２２ｂが、正面には羽目石２１を接合するための臍穴２２ａが形成されている。
【００６７】
右外柵部７を後外柵部８に接合するには、前記右外柵部７の腰石１９の背面に形成した嵌入溝１９ｇと前記後外柵部８の腰石２３に形成した嵌入溝２３ｇに嵌入部材３４ｃを嵌入することで右外柵部７と後外柵部８が接合する。
【００６８】
図２７は、本発明である墓の外柵構造の第２実施例に使用する嵌入部材を示す図である。図２４から図２６に示した嵌入部材３２、３３、３４、３５は、いずれも四角柱の形状であるが、図２７に示すように、嵌入部材は丸型嵌入部材３６、楕円形型嵌入部材３６ａ、三角形型嵌入部材３６ｂ、正方形型嵌入部材３６ｃ、五角形型嵌入部材３６ｄ、角尺型嵌入部材３６ｅ、角平面型嵌入部材３６ｆ等、その形状は限定することなく様々な種類の嵌入部材を使用することが可能である。
【００６９】
また、前記丸型嵌入部材３６を使用する場合には、腰石、均石、羽目石等に形成する嵌入溝及び臍穴は丸型となり、前記楕円形型嵌入部材３６ａを使用する場合には嵌入溝及び臍穴は楕円形状に、前記三角形型嵌入部材３６ｂを使用する場合には嵌入溝及び臍穴は三角形状に、正方形型嵌入部材３６ｃを使用する場合には嵌入溝及び臍穴は正方形状に、五角形型嵌入部材３６ｄを使用する場合には嵌入溝及び臍穴は五角形状に、角尺型嵌入部材３６ｅを使用する場合には嵌入溝及び臍穴は角尺形状に、角平面型嵌入部材３６ｆを使用する場合には嵌入溝及び臍穴は角平面形状にと、それぞれ嵌入部材と嵌入溝及び臍穴の形状が同一となるように形成する。
【実施例３】
【００７０】
図２８は、本発明である墓の外柵構造の第３実施例の前外柵部、左外柵部、右外柵部、後外柵部を分離した状態の斜視図である。
【００７１】
図２８に示すように、本発明である墓の外柵構造の第３実施例は、前外柵部５ａ、左外柵部６ａ、右外柵部７ａ、後外柵部８ａを構成する腰石、均石、羽目石等の各石材の臍及び臍穴を、各石材の上面から下面まで突出するように形成したものである。
【００７２】
第１実施例及び第２実施例においては、本発明である墓の外柵構造を構成する腰石、均石、羽目石等の各石材の臍は、接合面の中心を突出させただけのものであるが、本第３実施例では、強度を強くするため臍を上面から下面まで繋げる。尚、臍穴も臍に合う形状に変更する。
【００７３】
左外柵部６ａの腰石１５ａ、均石１６ａ及び羽目石１７ａについては、臍が正面に突設され、臍穴が後端の右側面に形成される。右外柵部７ａの腰石１９ｈ、均石２０ｈ及び羽目石２１ｅについては、臍が正面に突設され、臍穴が後端の左側面に形成される。
【００７４】
後外柵部８ａの腰石２３ｉ、均石２４ｎ及び左右羽目石２５ｇ、２６ｇについては、臍が左右両側面に突設される。前外柵部５ａの左右袖石９ｇ、１０ｇについては、臍穴が背面に形成される。
【００７５】
左外柵部６ａの各石材の臍は、前外柵部５ａの左袖石９ｇの臍穴に嵌入され、右外柵部７ａの各石材の臍は、前外柵部５ａの右袖石１０ｇの臍穴に嵌入される。左外柵部６ａの各石材の臍穴には、後外柵部８ａの各石材の左端の臍が嵌入し、右外柵部７ａの各石材の臍穴には、後外柵部８ａの各石材の右端の臍が嵌入する。
【００７６】
図２９は、本発明である墓の外柵構造の第３実施例の左外柵部の腰石の斜視図である。臍及び臍穴に関しては、左外柵部６ａの均石１６ａ及び羽目石１７ａについても、左外柵部６ａの腰石１５ａと同様である。
【００７７】
また、右外柵部７ａの腰石１９ｈ、均石２０ｈ及び羽目石２１ｅ、前外柵部５ａの左右袖石９ｇ、１０ｇ、並びに後外柵部８ａの腰石２３ｉ、均石２４ｎ及び左右羽目石２５ｇ、２６ｇについても同様である。
【００７８】
左外柵部６ａの腰石１５ａには、前外柵部５ａの左袖石９ｇに接合するための臍１５ｂが一端の正面側に突設され、後外柵部８ａの腰石２３ｉの左端の臍と接合するための臍穴１５ｃが他端の右側面側に形成される。
【００７９】
腰石１５ａの臍１５ｂは、腰石１５ａの上面から下面まで続いているので強度があり、嵌め込んだ先にしっかりと固定される。また、腰石１５ａの臍穴１５ｃも同様に、腰石１５ａの上面から下面まで続いているので、嵌め込まれた際にしっかりと固定する。
【００８０】
図２８に示すように、左外柵部６ａの腰石１５ａ、均石１６ａ及び羽目石１７ａを上下に重ねると、それぞれの臍が一体となり更に強度が増し、耐震性も高くなる。
【００８１】
第１実施例及び第２実施例のように臍が分かれていると、地震等の際に各臍に力が加わってしまうが、本第３実施例のように臍を繋げて一体とすることで、臍全体で力を受け止めるので、かなり大きな力に対しても耐えることができる。
【００８２】
また、第１実施例及び第２実施例のように中心のみを突出させた臍及び臍穴よりも、本第３実施例のように上面から下面まで繋げて突出させた臍及び臍穴の方が形成が容易にでき、本発明である墓の外柵構造を組み立てるには効率的である。
【図面の簡単な説明】
【００８３】
【図１】本発明である墓の外柵構造を用いて構築された墓の全体斜視図である。
【図２】本発明である墓の外柵構造により構築され、外柵内に埋土を敷き詰めた状態の斜視図である。
【図３】本発明である墓の外柵構造により構築された外柵の斜視図である。
【図４】本発明である墓の外柵構造の右外柵部及び後外柵部の斜視図である。
【図５】本発明である墓の外柵構造の左外柵部及び前外柵部の斜視図である。
【図６】本発明である墓の外柵構造の前外柵部、左外柵部、右外柵部、後外柵部を分離した状態の斜視図である。
【図７】本発明である墓の外柵構造の前外柵部の正面斜視図である。
【図８】本発明である墓の外柵構造の前外柵部の背面斜視図である。
【図９】本発明である墓の外柵構造の前外柵部の階段の上階段を取り外した状態の背面斜視図である。
【図１０】本発明である墓の外柵構造の前外柵部の階段の上階段及び左右袖石を取り外した状態を示す背面斜視図である。
【図１１】本発明である墓の外柵構造の前外柵部の階段の上階段及び左右袖石を取り外した状態を示す正面斜視図である。
【図１２】本発明である墓の外柵構造の前外柵部の階段の下階段、中階段及び上階段を分離した状態を示す正面斜視図である。
【図１３】本発明である墓の外柵構造の前外柵部の階段の下階段、中階段及び上階段を分離した状態を示す背面斜視図である。
【図１４】本発明である墓の外柵構造の後外柵部の正面斜視図である。
【図１５】本発明である墓の外柵構造の後外柵部の背面斜視図である。
【図１６】本発明である墓の外柵構造の後外柵部の腰石、均石、左右羽目石及び塔婆立をそれぞれ分離した状態を示す背面斜視図である。
【図１７】本発明である墓の外柵構造の後外柵部の腰石、均石、左右羽目石及び塔婆立をそれぞれ分離した状態を示す正面斜視図である。
【図１８】本発明である墓の外柵構造の後外柵部の腰石、均石、左右羽目石及び塔婆立をそれぞれ分離した状態を示す下方から見上げた背面斜視図である。
【図１９】本発明である墓の外柵構造の右外柵部の前方斜視図である。
【図２０】本発明である墓の外柵構造の右外柵部の後方斜視図である。
【図２１】本発明である墓の外柵構造の右外柵部の腰石、均石、羽目石及び右柱をそれぞれ分離した状態の前方斜視図である。
【図２２】本発明である墓の外柵構造の右外柵部の腰石、均石、羽目石及び右柱をそれぞれ分離した状態の後方斜視図である。
【図２３】本発明である墓の外柵構造の右外柵部の腰石、均石、羽目石及び右柱をそれぞれ分離した状態の後方斜視図である。
【図２４】本発明である墓の外柵構造の第２実施例の前外柵部、左外柵部、右外柵部、後外柵部を分離した状態の斜視図である。
【図２５】本発明である墓の外柵構造の第２実施例の後外柵部の腰石、均石、左右羽目石及び塔婆立てをそれぞれ分離した状態を示す正面斜視図である。
【図２６】本発明である墓の外柵構造の第２実施例の右外柵部の腰石、均石、羽目石及び右柱をそれぞれ分離した状態の後方斜視図である。
【図２７】本発明である墓の外柵構造の第２実施例に使用する嵌入部材の断面及び正面を示す図である。
【図２８】本発明である墓の外柵構造の第３実施例の前外柵部、左外柵部、右外柵部、後外柵部を分離した状態の斜視図である。
【図２９】本発明である墓の外柵構造の第３実施例の左外柵部の腰石の斜視図である。
【符号の説明】
【００８４】
１            墓
２            墓石
２ａ          塔婆
３            墓碑
４            外柵
４ａ          外柵
５            前外柵部
５ａ          前外柵部
６            左外柵部
６ａ          左外柵部
７            右外柵部
７ａ          右外柵部
８            後外柵部
８ａ          後外柵部
９            左袖石
９ａ〜９ｆ    臍穴
９ｇ          左袖石
１０            右袖石
１０ａ〜１０ｆ  臍穴
１０ｇ          右袖石
１１            階段
１２            下階段
１２ａ〜１２ｄ  臍
１３            中階段
１３ａ、１３ｂ  臍穴
１３ｃ、１３ｄ  臍
１３ｅ、１３ｆ  臍穴
１４            上階段
１４ａ〜１４ｄ  臍
１５            腰石
１５ａ          腰石
１５ｂ          臍
１５ｃ          臍穴
１６            均石
１６ａ          均石
１７            羽目石
１７ａ          羽目石
１８            左柱
１８ａ          左柱
１９            腰石
１９ａ、１９ｂ  臍
１９ｃ、１９ｄ  臍穴
１９ｅ、１９ｆ  嵌入溝
１９ｇ          嵌入溝
１９ｈ          腰石
２０            均石
２０ａ          臍
２０ｂ          臍穴
２０ｃ、２０ｄ  臍
２０ｅ          臍穴
２０ｆ、２０ｇ  嵌入溝
２０ｈ          均石
２１            羽目石
２１ａ、２１ｂ  臍
２１ｃ、２１ｄ  嵌入溝
２１ｅ          羽目石
２２            右柱
２２ａ、２２ｂ  臍穴
２２ｃ          臍
２２ｄ          右柱
２３            腰石
２３ａ〜２３ｄ  臍穴
２３ｅ、２３ｆ  嵌入溝
２３ｇ、２３ｈ  嵌入溝
２３ｉ          腰石
２４            均石
２４ａ          凹溝
２４ｂ、２４ｃ  臍
２４ｄ〜２４ｉ  臍穴
２４ｊ、２４ｋ  臍
２４ｌ、２４ｍ  嵌入溝
２４ｎ          均石
２５            左羽目石
２５ａ〜２５ｄ  臍
２５ｅ、２５ｆ  嵌入溝
２５ｇ          左羽目石
２６            右羽目石
２６ａ〜２６ｄ  臍
２６ｅ、２６ｆ  嵌入溝
２６ｇ          右羽目石
２７            塔婆立
２８            左支柱
２８ａ          臍穴
２８ｂ          臍
２８ｃ          嵌入溝
２９            右支柱
２９ａ          臍穴
２９ｂ          臍
２９ｃ          嵌入溝
３０            渡石
３０ａ          挿通孔
３１            埋土
３２            嵌入部材
３３〜３３ｂ    嵌入部材
３４〜３４ｃ    嵌入部材
３５〜３５ｃ    嵌入部材
３６            丸型嵌入部材
３６ａ          楕円形型嵌入部材
３６ｂ          三角形型嵌入部材
３６ｃ          正方形型嵌入部材
３６ｄ          五角形型嵌入部材
３６ｅ          角尺型嵌入部材
３６ｆ          角平面型嵌入部材
【図１】
2005344427.tif 000003
【図２】
2005344427.tif 000004
【図３】
2005344427.tif 000005
【図４】
2005344427.tif 000006
【図５】
2005344427.tif 000007
【図６】
2005344427.tif 000008
【図７】
2005344427.tif 000009
【図８】
2005344427.tif 000010
【図９】
2005344427.tif 000011
【図１０】
2005344427.tif 000012
【図１１】
2005344427.tif 000013
【図１２】
2005344427.tif 000014
【図１３】
2005344427.tif 000015
【図１４】
2005344427.tif 000016
【図１５】
2005344427.tif 000017
【図１６】
2005344427.tif 000018
【図１７】
2005344427.tif 000019
【図１８】
2005344427.tif 000020
【図１９】
2005344427.tif 000021
【図２０】
2005344427.tif 000022
【図２１】
2005344427.tif 000023
【図２２】
2005344427.tif 000024
【図２３】
2005344427.tif 000025
【図２４】
2005344427.tif 000026
【図２５】
2005344427.tif 000027
【図２６】
2005344427.tif 000028
【図２７】
2005344427.tif 000029
【図２８】
2005344427.tif 000030
【図２９】
2005344427.tif 000031